【手続補正書】
【提出日】平成15年10月24日(2003.10.24)
【手続補正１】
【補正対象書類名】明細書
【補正対象項目名】特許請求の範囲
【補正方法】変更
【補正の内容】
【特許請求の範囲】
【請求項１】
マイクロコンピュータとメモリとを有し、複数種類の決済手段に応じたデータを授受して決済装置に所望の決済処理を実行させる多機能型ＩＣカードにおいて、
前記各決済手段から一の決済手段を選択するための利用者希望情報を前記メモリに記憶させる利用者希望情報記憶テーブルを備えることを特徴とする多機能型ＩＣカード。
【請求項２】
現金の代わりに決済手段として機能する複数種類の決済手段を備え、複数種類の決済手段に応じたデータとして各決済に係るデータを記憶するＩＣチップを搭載する多機能型ＩＣカードにおいて、
前記各決済手段から一の決済手段を選択するための利用者希望情報として各決済手段により決済可能な金額を規定する決済可能範囲を前記ＩＣチップに記憶させる利用者希望情報記憶テーブルを備えることを特徴とする多機能型ＩＣカード。
【請求項３】
売上金額を複数種類の決済手段の内の任意の前記決済手段によって決済処理する決済装置において、
多機能型ＩＣカードのメモリに記憶された利用者が希望する決済手段を選択するための利用者希望情報として各決済手段により決済可能な金額を規定する決済可能範囲を取得する利用者情報取得手段と、
この利用者情報取得手段により取得した前記利用者希望情報に基づいて前記決済手段を選択する決済選択手段と、
この決済選択手段により選択された前記決済手段によって決済処理を実行する決済実行手段と、
を備えることを特徴とする決済装置。
【請求項４】
売上金額を複数種類の決済手段の内の任意の前記決済手段によって決済処理する決済装置において、
前記各決済手段から一の決済手段を選択するための決済側希望情報を記憶した決済側希望情報記憶テーブルから取得する情報取得手段と、
この情報取得手段により取得した前記決済側希望情報に基づいて前記決済手段を選択する決済選択手段と、
この決済選択手段により選択された前記決済手段によって決済処理を実行する決済実行手段と、
を備えることを特徴とする決済装置。
【請求項５】
売上金額を複数種類の決済手段の内の任意の前記決済手段によって決済処理する決済装置において、
多機能型ＩＣカードのメモリに記憶された利用者が希望する決済手段を選択するための利用者希望情報を取得する利用者情報取得手段と、
前記各決済手段から一の決済手段を選択するための決済側希望情報を記憶した決済側希望情報記憶テーブルから取得する情報取得手段と、
この情報取得手段により取得した前記決済側希望情報と前記利用者情報取得手段により取得した前記利用者希望情報とを比較し、双方の希望を満足し得る前記決済手段を調整して選択する決済調整選択手段と、
この決済調整選択手段により選択された前記決済手段によって決済処理を実行する決済実行手段と、
を備えることを特徴とする決済装置。
【請求項６】
前記多機能型ＩＣカードの前記メモリに蓄積されたポイントが所定ポイント数に達している場合には、前記決済実行手段による決済処理に先んじて前記売上金額から所定ポイント数に応じたポイント換金額を減じることを特徴とする請求項３ないし５のいずれか一記載の決済装置。
【請求項７】
売上金額を複数種類の決済手段の内の任意の前記決済手段によって決済処理する決済装置と、マイクロコンピュータとメモリとを有し、複数種類の決済手段に応じたデータを授受して前記決済装置に所望の決済処理を実行させる多機能型ＩＣカードと、を用いた決済方法において、
前記各決済手段から一の決済手段を選択するための利用者希望情報を前記多機能型ＩＣカードの前記メモリに記憶させる利用者希望情報記憶工程と、
前記多機能型ＩＣカードの前記メモリに記憶された前記利用者希望情報を取得する利用者情報取得工程と、
取得した前記利用者希望情報に基づいて前記決済手段を選択する決済選択工程と、
選択された前記決済手段によって決済処理を実行する決済実行工程と、
を含むことを特徴とする決済方法。
【請求項８】
売上金額を複数種類の決済手段の内の任意の前記決済手段によって決済処理する決済装置を用いた決済方法において、
前記各決済手段から一の決済手段を選択するための決済側希望情報を記憶部に記憶させる決済側希望情報記憶工程と、
前記記憶部に記憶された前記決済側希望情報を取得する情報取得工程と、
取得した前記決済側希望情報に基づいて前記決済手段を選択する決済選択工程と、
選択された前記決済手段によって決済処理を実行する決済実行工程と、
を含むことを特徴とする決済方法。
【請求項９】
売上金額を複数種類の決済手段の内の任意の前記決済手段によって決済処理する決済装置と、マイクロコンピュータとメモリとを有し、複数種類の決済手段に応じたデータを授受して前記決済装置に所望の決済処理を実行させる多機能型ＩＣカードと、を用いた決済方法において、
前記多機能型ＩＣカードの前記メモリに記憶された前記利用者希望情報を取得する利用者情報取得工程と、
前記各決済手段から一の決済手段を選択するための決済側希望情報を記憶部に記憶させる決済側希望情報記憶工程と、
前記記憶部に記憶された前記決済側希望情報を取得する情報取得工程と、
取得した前記決済側希望情報と前記利用者希望情報とを比較し、双方の希望を満足し得る前記決済手段を調整して選択する決済調整選択工程と、
選択された前記決済手段によって決済処理を実行する決済実行工程と、
を含むことを特徴とする決済方法。
【請求項１０】
売上金額を複数種類の決済手段の内の任意の前記決済手段によって決済処理する決済装置に用いられ、コンピュータに読み取り可能なプログラムを記憶している記憶媒体であって、
前記プログラムは、
多機能型ＩＣカードのメモリに記憶された利用者が希望する決済手段を選択するための利用者希望情報として各決済手段により決済可能な金額を規定する決済可能範囲を取得する利用者情報取得機能と、
取得した前記利用者希望情報に基づいて前記決済手段を選択する決済選択機能と、
選択された前記決済手段によって決済処理を実行する決済実行機能と、
を前記コンピュータに実行させる記憶媒体。
【請求項１１】
売上金額を複数種類の決済手段の内の任意の前記決済手段によって決済処理する決済装置に用いられ、コンピュータに読み取り可能なプログラムを記憶している記憶媒体であって、
前記プログラムは、
前記各決済手段から一の決済手段を選択するための決済側希望情報を記憶部に記憶させる決済側希望情報記憶機能と、
前記記憶部に記憶された前記決済側希望情報を取得する情報取得機能と、
取得した前記決済側希望情報に基づいて前記決済手段を選択する決済選択機能と、
選択された前記決済手段によって決済処理を実行する決済実行機能と、
を前記コンピュータに実行させる記憶媒体。
【請求項１２】
売上金額を複数種類の決済手段の内の任意の前記決済手段によって決済処理する決済装置に用いられ、コンピュータに読み取り可能なプログラムを記憶している記憶媒体であって、
前記プログラムは、
多機能型ＩＣカードのメモリに記憶された利用者が希望する決済手段を選択するための利用者希望情報を取得する利用者情報取得機能と、
前記各決済手段から一の決済手段を選択するための決済側希望情報を記憶部に記憶させる決済側希望情報記憶機能と、
前記記憶部に記憶された前記決済側希望情報を取得する情報取得機能と、
取得した前記決済側希望情報と前記利用者情報取得手段により取得した前記利用者希望情報とを比較し、双方の希望を満足し得る前記決済手段を調整して選択する決済調整選択機能と、
選択された前記決済手段によって決済処理を実行する決済実行機能と、
を前記コンピュータに実行させる記憶媒体。
【手続補正２】
【補正対象書類名】明細書
【補正対象項目名】００１０
【補正方法】変更
【補正の内容】
【００１０】
請求項２記載の発明は、現金の代わりに決済手段として機能する複数種類の決済手段を備え、複数種類の決済手段に応じたデータとして各決済に係るデータを記憶するＩＣチップを搭載する多機能型ＩＣカードにおいて、前記各決済手段から一の決済手段を選択するための利用者希望情報として各決済手段により決済可能な金額を規定する決済可能範囲を前記ＩＣチップに記憶させる利用者希望情報記憶テーブルを備える。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項３記載の発明は、売上金額を複数種類の決済手段の内の任意の前記決済手段によって決済処理する決済装置において、多機能型ＩＣカードのメモリに記憶された利用者が希望する決済手段を選択するための利用者希望情報として各決済手段により決済可能な金額を規定する決済可能範囲を取得する利用者情報取得手段と、この利用者情報取得手段により取得した前記利用者希望情報に基づいて前記決済手段を選択する決済選択手段と、この決済選択手段により選択された前記決済手段によって決済処理を実行する決済実行手段と、を備える。


【手続補正５】
【補正対象書類名】明細書
【補正対象項目名】００２６
【補正方法】変更
【補正の内容】
【００２６】
請求項１０記載の発明は、売上金額を複数種類の決済手段の内の任意の前記決済手段によって決済処理する決済装置に用いられ、コンピュータに読み取り可能なプログラムを記憶している記憶媒体であって、前記プログラムは、多機能型ＩＣカードのメモリに記憶された利用者が希望する決済手段を選択するための利用者希望情報として各決済手段により決済可能な金額を規定する決済可能範囲を取得する利用者情報取得機能と、取得した前記利用者希望情報に基づいて前記決済手段を選択する決済選択機能と、選択された前記決済手段によって決済処理を実行する決済実行機能と、を前記コンピュータに実行させる。


【手続補正６】
【補正対象書類名】明細書
【補正対象項目名】００９８
【補正方法】変更
【補正の内容】
【００９８】
請求項２記載の発明によれば、現金の代わりに決済手段として機能する複数種類の決済手段を備え、複数種類の決済手段に応じたデータとして各決済に係るデータを記憶するＩＣチップを搭載する多機能型ＩＣカードにおいて、前記各決済手段から一の決済手段を選択するための利用者希望情報として各決済手段により決済可能な金額を規定する決済可能範囲を前記ＩＣチップに記憶させる利用者希望情報記憶テーブルを備えることにより、決済可能範囲に応じて決済手段を選択することができる。
【手続補正７】
【補正対象書類名】明細書
【補正対象項目名】００９９
【補正方法】変更
【補正の内容】
【００９９】
請求項３記載の発明によれば、売上金額を複数種類の決済手段の内の任意の前記決済手段によって決済処理する決済装置において、多機能型ＩＣカードのメモリに記憶された利用者が希望する決済手段を選択するための利用者希望情報として各決済手段により決済可能な金額を規定する決済可能範囲を取得する利用者情報取得手段と、この利用者情報取得手段により取得した前記利用者希望情報に基づいて前記決済手段を選択する決済選択手段と、この決済選択手段により選択された前記決済手段によって決済処理を実行する決済実行手段と、を備え、例えば各決済手段の優先順位や各決済手段により決済可能な金額を規定する決済可能範囲が利用者希望情報として多機能型ＩＣカードのメモリに記憶されている場合には、これらの優先順位や決済可能範囲に基づいて最適な決済手段を選択し、決済処理を実行することにより、多機能型ＩＣカードの所有者がオペレータに決済手段を通知しなくとも、多機能型ＩＣカードに予め設定された利用者希望情報に基づいてカード所有者の意に沿った決済処理を実行することができるので、決済処理の処理効率の向上を図ることができる。


【手続補正８】
【補正対象書類名】明細書
【補正対象項目名】０１０６
【補正方法】変更
【補正の内容】
【０１０６】
請求項１０記載の発明によれば、売上金額を複数種類の決済手段の内の任意の前記決済手段によって決済処理する決済装置に用いられ、コンピュータに読み取り可能なプログラムを記憶している記憶媒体であって、前記プログラムは、多機能型ＩＣカードのメモリに記憶された利用者が希望する決済手段を選択するための利用者希望情報として各決済手段により決済可能な金額を規定する決済可能範囲を取得する利用者情報取得機能と、取得した前記利用者希望情報に基づいて前記決済手段を選択する決済選択機能と、選択された前記決済手段によって決済処理を実行する決済実行機能と、を前記コンピュータに実行させ、例えば各決済手段の優先順位や各決済手段により決済可能な金額を規定する決済可能範囲が利用者希望情報として多機能型ＩＣカードのメモリに記憶されている場合には、これらの優先順位や決済可能範囲に基づいて最適な決済手段を選択し、決済処理を実行することにより、多機能型ＩＣカードの所有者がオペレータに決済手段を通知しなくとも、多機能型ＩＣカードに予め設定された利用者希望情報に基づいてカード所有者の意に沿った決済処理を実行することができるので、決済処理の処理効率の向上を図ることができる。